(57)【要約】【課題】所定の異常事態が発生したことをユーザーが確実に認識することができる警報装置を提供する。【解決手段】受信機２０は、制御部２１と、出力部２５と、操作スイッチ２８とを有する。出力部２５は、警報音を鳴らす警報ブザー２６と、異常信号を受信したことを視覚的に示す警報履歴表示を行う警報表示部２７とを有する。制御部２１は、異常信号を受信したときに、警報ブザー２６を所定の警報時間だけ動作させる。その後、警報表示部２７で警報履歴表示が行われる。そして、警報履歴表示中に操作スイッチ２８が押されると、警報ブザー２６が再動作される。【選択図】図１
2014026532.tif 000002
【特許請求の範囲】
【請求項１】
所定の異常事態が発生したときに異常信号を送信する送信機と、該送信機から送信された異常信号を受信して所定の警報動作を行う受信機とを備えた警報装置であって、
前記受信機は、前記警報動作を行う出力部と、該出力部の動作を制御する制御部と、該制御部に対して入力操作を行う操作スイッチとを有し、
前記出力部は、警報音を鳴らす警報ブザーと、前記異常信号を受信したことを視覚的に示す警報履歴表示を行う警報表示部とを有し、
前記制御部は、前記異常信号を受信したときに、前記警報ブザーを所定の警報時間だけ動作させた後に前記警報表示部で警報履歴表示を行わせる一方、該警報履歴表示中に前記操作スイッチが押された場合に該警報ブザーを再動作させるように構成されていることを特徴とする警報装置。
【請求項２】
請求項１において、
前記制御部は、前記警報履歴表示中に前記操作スイッチが所定時間よりも長く押し続けられたり、又は複数回押された場合に、前記警報ブザーを再動作させることなく前記警報表示部の警報履歴表示を解除させるように構成されていることを特徴とする警報装置。
【発明の詳細な説明】
【技術分野】
【０００１】
本発明は、警報装置に関するものである。
【背景技術】
【０００２】
従来より、車両に取り付けられた送信機と、携帯型の受信機とで構成された盗難警報システムが知られている（例えば、特許文献１参照）。このような盗難警報システムは、送信機から送信される信号を受信機で受信する仕組みであり、平時には送信機から平時信号を送信する一方、車両への侵入者があったときや車両に危害が加えられたときのような有事時には送信機から有事時信号を送信し、受信機が有事時信号を受信すると警報ブザーが鳴らされるように構成されている。
【先行技術文献】
【特許文献】
【０００３】
【特許文献１】特開２００６−０３３１６２号公報
【発明の概要】
【発明が解決しようとする課題】
【０００４】
ところで、従来の盗難警報システムでは、送信機から有事時信号を受信して警報ブザーが鳴っていたとしても、ユーザーがその警報音に気付かずに聞き逃してしまうことがある。
【０００５】
そこで、所定時間が経過して警報ブザーが鳴り終わった後には、受信機に設けられているＬＥＤ等を点滅させることで、有事時信号を受信したことを示す警報履歴表示を行うようにした盗難警報システムが開発されている。このようにすれば、ユーザーが警報ブザーの警報音を聞き逃した場合でも、ＬＥＤの点滅によって警報履歴を確認することができる。
【０００６】
しかしながら、受信機を鞄に入れて持ち運んでいると、警報履歴表示が意図せずに解除されてしまうおそれがある。具体的に、受信機が鞄の中で自由に動き回ることで、受信機に設けられている操作スイッチが意図せずに押されてしまい、ユーザーが警報履歴表示を確認する前に警報履歴が解除されてしまう。この場合には、車両への侵入者があったときや車両に危害が加えられたときのような有事をユーザーが認識することができないという問題がある。
【０００７】
本発明は、かかる点に鑑みてなされたものであり、その目的は、所定の異常事態が発生したことをユーザーが確実に認識することができる警報装置を提供することにある。
【課題を解決するための手段】
【０００８】
本発明は、所定の異常事態が発生したときに異常信号を送信する送信機と、該送信機から送信された異常信号を受信して所定の警報動作を行う受信機とを備えた警報装置を対象とし、次のような解決手段を講じた。
【０００９】
すなわち、第１の発明は、前記受信機は、前記警報動作を行う出力部と、該出力部の動作を制御する制御部と、該制御部に対して入力操作を行う操作スイッチとを有し、
前記出力部は、警報音を鳴らす警報ブザーと、前記異常信号を受信したことを視覚的に示す警報履歴表示を行う警報表示部とを有し、
前記制御部は、前記異常信号を受信したときに、前記警報ブザーを所定の警報時間だけ動作させた後に前記警報表示部で警報履歴表示を行わせる一方、該警報履歴表示中に前記操作スイッチが押された場合に該警報ブザーを再動作させるように構成されていることを特徴とするものである。
【００１０】
第１の発明では、受信機は、出力部と、制御部と、操作スイッチとを有する。出力部は、警報音を鳴らす警報ブザーと、異常信号を受信したことを視覚的に示す警報履歴表示を行う警報表示部とを有する。制御部は、異常信号を受信したときに、警報ブザーを所定の警報時間だけ動作させる。その後、警報表示部で警報履歴表示が行われる。そして、警報履歴表示中に操作スイッチが押されると、警報ブザーが再動作される。
【００１１】
このような構成とすれば、所定の異常事態が発生したことをユーザーが確実に認識することができる。具体的に、受信機に設けられている操作スイッチが意図せずに押されてしまうと、ユーザーが警報履歴表示を確認する前に警報履歴表示が解除されてしまう。この場合には、車両への侵入者があったときや車両に危害が加えられたときのような有事をユーザーが認識することができない。
【００１２】
これに対し、本発明では、警報履歴表示中に操作スイッチが押された場合には、警報ブザーを再動作させるように制御しているので、操作スイッチが意図せずに押されてしまった場合でも、警報履歴表示が解除される前に警報ブザーが鳴らされるので、ユーザーが警報履歴表示を見落とすおそれを低減することができる。
【００１３】
なお、所定の異常事態とは、例えば、車両に設けられた送信機において、車両への侵入者があったときや、車両に危害が加えられて接触センサや侵入センサ等のセンサが異常を検知したことを挙げることができる。
【００１４】
第２の発明は、第１の発明において、
前記制御部は、前記警報履歴表示中に前記操作スイッチが所定時間よりも長く押し続けられたり、又は複数回押された場合に、前記警報ブザーを再動作させることなく前記警報表示部の警報履歴表示を解除させるように構成されていることを特徴とするものである。
【００１５】
第２の発明では、警報履歴表示中に操作スイッチを所定時間よりも長く押し続けたり、又は複数回押されると、警報ブザーが再動作されることなく警報履歴表示が解除される。
【００１６】
このような構成とすれば、ユーザーが警報履歴表示に気付いてその表示を解除したい場合には、操作スイッチを長押しすることで、警報ブザーを鳴らすことなく警報履歴表示を解除することができる。警報履歴表示を解除するスイッチ操作は、所定時間よりも長く押し続けたり複数回押された場合のように、鞄の中等で意図せず押された場合の操作と明らかに区別できる操作方法とする。
【発明の効果】
【００１７】
本発明によれば、警報履歴表示中に操作スイッチが押された場合には、警報ブザーを再動作させるように制御しているので、操作スイッチが意図せずに押されてしまった場合でも、警報履歴表示が解除される前に警報ブザーが鳴らされるので、ユーザーが警報履歴表示を見落とすおそれを低減することができる。
【図面の簡単な説明】
【００１８】
【図１】本発明の実施形態に係る警報装置の構成を示す概略図である。
【図２】警報装置の動作手順を示すフローチャート図である。
【発明を実施するための形態】
【００１９】
以下、本発明の実施形態を図面に基づいて説明する。なお、以下の好ましい実施形態の説明は、本質的に例示に過ぎず、本発明、その適用物或いはその用途を制限することを意図するものではない。
【００２０】
図１は、本発明の実施形態に係る警報装置の構成を示す概略図である。図１に示すように、この警報装置１０は、車両Ｃに搭載された送信機１１と、携帯型の受信機２０とを備えている。
【００２１】
送信機１１は、図示しないアンテナユニットやカーアラーム等を備えている。カーアラームは、接触センサや侵入センサ等を有し、解除状態、警戒待機状態、警戒状態、警報状態の４つのアラーム状態を取ることができるようになっている。そして、カーアラームのアラーム状態が変化する所定の異常事態が発生したときに、送信機１１から受信機２０に対して異常信号が送信される。ここで、所定の異常事態とは、例えば、車両Ｃへの侵入者があったときや車両Ｃに危害が加えられ、接触センサや侵入センサ等のセンサが異常を検知したことを挙げることができる。
【００２２】
受信機２０は、マイクロコンピュータ等で構成された制御部２１と、アンテナ２３が接続された受信回路部２２と、所定の警報動作を行う出力部２５と、制御部２１に対して入力操作を行う操作スイッチ２８とを備えている。制御部２１は、アンテナ２３及び受信回路部２２を介して、送信機１１から送信された信号を受信する。
【００２３】
出力部２５は、警報音を鳴らす警報ブザー２６と、異常信号を受信したことを示す警報履歴表示を行う警報表示部２７とを有している。警報表示部２７は、例えば、ＬＥＤによって構成され、ＬＥＤの点滅状態や点灯色によって、警報履歴を識別できるようになっている。例えば、ＬＥＤの点灯色が緑色の場合を平常状態とし、ＬＥＤの点灯色が赤色の場合を異常事態とすることで、警報履歴を識別することができる。
【００２４】
操作スイッチ２８は、制御部２１に対して入力操作を行う。例えば、車両Ｃのセキュリティ状態を確認したい場合には、操作スイッチ２８を押すことで、送信機１１に対して確認用の信号が送信される。送信機１１は、確認用の信号を受信すると、カーアラームのアラーム状態を示す信号を受信機２０に送信する。受信機２０では、このアラーム状態を示す信号に基づいて、警報表示部２７のＬＥＤを点灯させる。例えば、カーアラームが警報状態であれば緑色に点灯させ、カーアラームが解除状態であれば赤色に点灯させるようにして、車両Ｃのセキュリティ状態を確認できるようにすればよい。
【００２５】
また、操作スイッチ２８は、警報表示部２７に警報履歴が表示されていた場合に、その警報履歴表示を解除する用途にも利用される。この点は、詳しくは後述する。
【００２６】
次に、警報装置１０の動作について、図２を用いて説明する。図２に示すように、ステップＳ１０１で、送信機１１のカーアラームをセットして、ステップＳ１０２に進む。
【００２７】
ステップＳ１０２では、車両Ｃにおいて所定の異常事態が発生したときに送信される異常信号を受信機２０で受信したかを判定する。ステップＳ１０２での判定が「ＹＥＳ」の場合には、車両Ｃ側で異常事態が発生したと判断して、ステップＳ１０３に分岐する。ステップＳ１０２での判定が「ＮＯ」の場合には、そのまま待機する。
【００２８】
ステップＳ１０３では、受信機２０の警報ブザー２６を鳴らすとともに、異常信号を受信したことを示す警報表示を行い、ステップＳ１０４に進む。ここで、警報表示は、警報表示部２７のＬＥＤを、例えば、１秒毎に０．５秒間点灯という点滅動作を３０秒間繰り返して行うようにすればよい。
【００２９】
ステップＳ１０４では、警報動作を開始してから所定の警報時間が経過したかを判定する。ステップＳ１０４での判定が「ＹＥＳ」の場合には、ステップＳ１０５に分岐する。ステップＳ１０４での判定が「ＮＯ」の場合には、警報時間が経過するまで待機する。
【００３０】
ステップＳ１０５では、警報ブザー２６を停止させ、ステップＳ１０６に進む。ステップＳ１０６では、警報表示部２７に警報履歴を表示させ、ステップＳ１０７に進む。ここで、警報履歴表示は、警報表示部２７のＬＥＤを、例えば、５秒毎に０．１秒間点灯という点滅動作を１週間程度繰り返して行うようにすればよい。
【００３１】
ステップＳ１０７では、警報履歴表示中に操作スイッチ２８が押されたかを判定する。ステップＳ１０７での判定が「ＹＥＳ」の場合には、ステップＳ１０８に分岐する。ステップＳ１０７での判定が「ＮＯ」の場合には、ステップＳ１０６に分岐して、警報履歴表示を継続して行う。
【００３２】
ステップＳ１０８では、操作スイッチ２８が押された時間が所定時間以下であるかを判定する。ステップＳ１０８での判定が「ＹＥＳ」の場合には、ユーザーが警報履歴表示に気付かずに操作スイッチ２８が押された可能性が高いと判断し、ステップＳ１０９に分岐する。ステップＳ１０８での判定が「ＮＯ」の場合には、ユーザーの意思で操作スイッチ２８が長押しされていると判断し、ステップＳ１１０に分岐する。
【００３３】
ステップＳ１０９では、警報ブザー２６を再動作させてユーザーに対して異常信号を受信したことを警告して、処理を終了する。
【００３４】
ステップＳ１１０では、警報ブザー２６を再動作させることなく警報履歴表示を解除して、処理を終了する。
【００３５】
以上のように、本実施形態に係る警報装置１０によれば、所定の異常事態が発生したことをユーザーが確実に認識することができる。具体的に、受信機２０に設けられている操作スイッチ２８が意図せずに押されてしまうと、ユーザーが警報履歴表示を確認する前に警報履歴表示が解除されてしまう。この場合には、車両Ｃへの侵入者があったときや車両Ｃに危害が加えられたときのような有事をユーザーが認識することができない。
【００３６】
これに対し、本実施形態では、警報履歴表示中に操作スイッチ２８が押された場合には、警報ブザー２６を再動作させるように制御しているので、操作スイッチ２８が意図せずに押されてしまった場合でも、警報履歴表示が解除される前に警報ブザー２６が鳴らされるので、ユーザーが警報履歴表示を見落とすおそれを低減することができる。
【００３７】
《その他の実施形態》
前記実施形態については、以下のような構成としてもよい。
【００３８】
本実施形態では、車両Ｃの盗難警報送受信用途としての警報装置１０について説明したが、特にこの形態に限定するものではなく、その他の通信システムに対しても適用可能である。
【００３９】
また、本実施形態では、警報表示部２７としてＬＥＤを採用し、ＬＥＤの点滅状態等によって警報履歴表示を行うようにした形態について説明したが、この形態に限定するものではない。例えば、警報表示部２７として液晶モニタや有機ＥＬモニタを採用し、警報履歴を示すメッセージをモニタに表示させるようにしてもよい。
【００４０】
また、本実施形態では、受信機２０で異常信号を受信したときに、警報ブザー２６を鳴らすとともに警報表示部２７のＬＥＤを点滅させる警報動作を行うようにしたが、警報ブザー２６のみを鳴らすようにしてもよい。
【００４１】
また、本実施形態では、警報履歴表示中に操作スイッチ２８が所定時間よりも長く押し続けられると、警報ブザー２６が再動作されることなく警報履歴表示が解除される形態としたが、この形態に限定するものではない。例えば、警報履歴表示中に操作スイッチ２８が複数回押されると、警報ブザー２６が再動作されることなく警報履歴表示が解除されるようにしてもよい。つまり、警報履歴表示を解除するスイッチ操作は、所定時間よりも長く押し続けたり複数回押された場合のように、鞄の中等で意図せず押された場合の操作と明らかに区別できる操作方法であればよい。
【産業上の利用可能性】
【００４２】
以上説明したように、本発明は、所定の異常事態が発生したことをユーザーが確実に認識することができるという実用性の高い効果が得られることから、きわめて有用で産業上の利用可能性は高い。
【符号の説明】
【００４３】
１０    警報装置
１１    送信機
２０    受信機
２１    制御部
２５    出力部
２６    警報ブザー
２７    警報表示部
２８    操作スイッチ
【図１】
2014026532.tif 000003
【図２】
2014026532.tif 000004